(57)【要約】【課題】  表示可能なフォント数がＬＣＤ表示キャラクタジェネレータＲＯＭ（ＣＧＲＯＭ）の容量に依存し、多くのフォントを表示するためにはＲＯＭ容量の増加が必要であり、これによる、機械の大型化、部品コストの増大を招いた。【解決手段】  コンピュータから受信した表示フォント書き換えコマンドに従って、表示フォントデータを同時にコンピュータから受信した文字コードが示す表示フォントメモリアドレスに記憶させる事で、表示フォントをコンピュータから受信した複数のフォントに切り換えて表示できる。【選択図】  図１
2006163140.tif 000002
【特許請求の範囲】
【請求項１】
コンピュータＰＣとのデータインターフェースによって、スキャナー動作及びプリント動作を行い、表示用フォントメモリを介して動作状態を表示する表示機能付きコンピュータペリフェラル装置において、表示フォントデータとそれを示す文字コードデータをコンピュータＰＣから入力する手段とそれを蓄積する書き換え可能な表示フォントメモリと前記コンピュータから入力した文字コードを基に表示フォントメモリのアドレスを作成する手段と前記表示フォントメモリアドレスに前記コンピュータから入力した表示フォントデータを書き込む手段を持ち、前記文字コードに従って表示されるＬＣＤ画面上の文字フォントを変更可能な事を特徴とした表示機能付きマルチファンクションペリフェラル（ＭＦＰ）装置。
【発明の詳細な説明】
【技術分野】
【０００１】
本発明は、キャラクタフォントを表示する表示部を有する表示ユニットおよび表示機能付き装置に関する。
【背景技術】
【０００２】
図２はマルチファンクションペリフェラル（ＭＦＰ）（Multi Function Peripheral）の従来構成例である。
【０００３】
マルチファンクションペリフェラル（ＭＦＰ）とはコンピュータＰＣもしくはネッワークに接続して使用されるコンピュータペリフェラル装置である。コンピュータＰＣもしくはネットワークからの制御コマンドに従って動作する。
【０００４】
コンピュータＰＣもしくはネットワークからの制御コマンドがなく、かつマルチファンクションペリフェラル（ＭＦＰ）本体のキー入力信号がある場合はマルチファンクションペリフェラル（ＭＦＰ）単体機能として動作する。
【０００５】
ＰＣデータインターフェースユニットはコンピュータＰＣからに制御コマンドの取り込み、マルチファンクションペリフェラル（ＭＦＰ）ステータス情報等マルチファンクションペリフェラル（ＭＦＰ）間のデータインターフェースを常時行う。
【０００６】
ＣＰＵはそれら制御コマンドを常時解析し、スキャナーユニット、プリンタユニット、ＬＣＤ表示ユニットを駆動させる。
【０００７】
図２のスキャナーユニットは原稿読取り装置である。コンピュータＰＣからの読み取り制御コマンドをコンピュータデータインターフェースユニットを介して受信すると、ＣＰＵはＬＣＤ表示ユニットを駆動させて、ユーザーに動作状況を示し、同時にＣＣＤ及びランプを駆動して、原稿を読み取り、読み取った原稿画情報をＰＣデータインターフェースユニットを介して、コンピュータＰＣに送信する。
【０００８】
プリンタユニットはインクジェット、ＬＢＰなどの記録装置である。コンピュータＰＣからの記録制御コマンド入力及び記録データをＰＣデータインターフェースユニットを介して受信すると、ＣＰＵはＬＣＤ表示ユニットを駆動させて、ユーザーに動作状況を示し、プリンタユニットを駆動させ記録紙に受信データを記録紙に記録する。
【０００９】
次に図３示したＬＣＤ表示ユニットの構成と動作について説明する。
ＬＣＤ表示ユニットはＣＰＵインターフェース（ＣＰＵＩＦ）、液晶表示部（ＬＣＤ）、表示データＲＡＭ  （ＤＤＲＡＭ）、ＬＣＤ表示キャラクタジェネレータＲＯＭ（ＣＧＲＯＭ）、インストラクションレジスタ（ＩＲ）、データレジスタ（ＤＲ）、アドレスカウンタ（ＡＣ）、タイミング発生回路（ＴＭ）、ＬＣＤ表示ドライバ（ＬＣＤ  ＤＲＶ）で構成される。
【００１０】
ＣＰＵインターフェースＩＦはＣＰＵとのコマンド及び表示データインターフェースを行う。
【００１１】
インストラクションレジスタ（ＩＲ）は表示クリア等のインストラクションコードや表示データＲＡＭ（ＤＤＲＡＭ）のアドレス情報情報を記憶するためのレジスタである。
【００１２】
ＣＰＵからＣＰＵインターフェースにＬＣＤユニットの制御コマンド及び表示データが書き込まれるとインストラクションレジスタ（ＩＲ）は受信したＬＣＤ制御コマンドの解析を行う。
【００１３】
そして、解析結果に従い、ＬＣＤ表示ユニット内の以下ユニットを動作させてＬＣＤ表示を行う。
【００１４】
データレジスタ（ＤＲ）はＣＰＵから書き込まれたＤＤＲＡＭに書き込むデータ及び表示データＲＡＭ（ＤＤＲＡＭ）に書き込むデータを記憶するためのレジスタである。
【００１５】
ＣＰＵからＤＲに書き込まれたデータは自動的に表示データＲＡＭ（ＤＤＲＡＭ）に書き込まれる。
【００１６】
アドレスカウンタＡＣは表示データＲＡＭ  ＤＤＲＡＭとＣＧＲＡＭのアドレスを与えるカウンタである。
【００１７】
インストラクションレジスタＩＲにアドレスインストラクションを書くとインストラクションレジスタＩＲからアドレスカウンタＡＣへアドレス情報が転送される。
【００１８】
表示データＲＡＭ  ＤＤＲＡＭ
表示データＲＡＭ  ＤＤＲＡＭは８ＢＩＴの文字コードで表される表示データを記憶するＲＡＭである。表示データＲＡＭ  ＤＤＲＡＭのアドレスはアドレスカウンタＡＣのアドレス出力によって指定される。
【００１９】
図５に表示データＲＡＭ  ＤＤＲＡＭのアドレスとそのアドレスに記憶された文字データが表示される状態をします。
【００２０】
表示位置アドレス００はＬＣＤ表示画面の左側の表示桁にあたり、以下表示アドレスに従ってＬＣＤ表示桁は変わる。
【００２１】
キャラクタジェネレータＲＯＭ  ＣＧＲＯＭは８ｂｉｔの文字コードからＬＣＤ表示パターンを発生するＲＯＭで、文字コードに対応したＬＣＤ表示フォントが格納してあるＲＯＭである。
【００２２】
図４にＬＣＤ表示キャラクタジェネレータＲＯＭ  ＣＧＲＯＭに入力する文字コードとそれに対応してＣＧＲＯＭから出力される表示フォントを示す。
文字コードはＣＧＲＯＭのアドレスとして入力される。これにより、例えば、ＣＧＲＯＭから“０”の表示フォントを出力するには文字コード“００Ｈ”を入力する。入力した文字コードはこれをアドレスに置き換えて、アドレス“００”に格納する“０”の表示フォントがＣＧ−ＲＯＭから出力する。
【００２３】
タイミング発生回路ＴＭは表示データＲＡＭ  ＤＤＲＡＭ、ＬＣＤ表示キャラクタジェネレータＲＯＭなどを動作させるためのタイミング信号を発生させます。
【００２４】
ＬＣＤ表示ドライバＤＲＩＶＥＲは、タイミング発生回路ＴＭのタイミング信号に従って、ＣＧＲＯＭから出力されるＬＣＤ表示フォントデータを液晶に出力する。
【００２５】
ＬＣＤ表示機ＤＩＳＰは液晶表示画面であり、ＬＣＤ表示ドライバＤＲＩＶＥＲ出力によって表示制御される。
【００２６】
例えば、図５に示すようにＬＣＤ上に２０１３年を左から順にＬＣＤ表示する場合まず、ＣＰＵはＬＣＤユニットのＣＰＵインターフェースＩＦに表示位置００のアドレスコマンドと“２”の文字データ０２を書き込む。
【００２７】
次にインストラクションレジスタＩＲは“２”の表示位置００アドレスコマンドにより、アドレスカウンタＡＣにアドレス００を設定する。
【００２８】
次に“２”の文字コード０２Ｈがデータレジスタ  ＤＲを介して、アドレスカウンタＡＣの示す表示データＲＡＭ（ＤＤＲＡＭ）のアドレス００に記憶される。
【００２９】
次にＣＰＵはＬＣＤユニットのＣＰＵインターフェースＩＦに表示位置０１のアドレスコマンドを書き込む。
【００３０】
インストラクションレジスタＩＲは表示位置０１アドレスコマンドにより、アドレスカウンタＡＣにアドレス０１を設定する。
【００３１】
次にＣＰＵはＬＣＤユニットのＣＰＵインターフェースにＩＦに“０”の文字データ００Ｈを書き込む。
【００３２】
書き込まれた文字コードはデータレジスタ（ＤＲ）を介して、アドレスカウンタＡＣの示す表示データＲＡＭ（ＤＤＲＡＭ）のアドレス０１に“０”が記憶される。
【００３３】
以上の処理を表示位置０４に表示する“年の”文字コード８０Ｈまで同様の処理を行い。表示データＲＡＭ（ＤＤＲＡＭ）のアドレス００からアドレス０４に“２”、“０”、“１”、“３”、“年”の文字コード“０２Ｈ，００Ｈ、０１Ｈ、０３Ｈが書き込まれる。
【００３４】
そしてタイミング発生回路ＴＭがＬＣＤ表示タイミングになると、アドレスカウンタＡＣ、表示データＲＡＭ  ＤＤＲＡＭ、ＬＣＤ表示キャラクタジェネレータＲＯＭを動作させるためのタイミング信号を発生さる。
【００３５】
これにより、ＤＤＲＡＭから前記“２”、“０”、“１”、“３” “年”の文字コードが順にキャラクタジェネレータＲＯＭ  ＣＧＲＯＭに出力され、キャラクタジェネレータＲＯＭ  ＣＧＲＯＭは文字コードに対応したＬＣＤ表示パターンを発生し、ＬＣＤ表示ドライバ（ＤＲＩＶＥＲ）に出力する。
【００３６】
ＬＣＤ表示ドライバ（ＤＲＩＶＥＲ）はタイミング発生回路ＴＭのタイミング信号に従って、前記ＣＧＲＡＭとＣＧＲＯＭから出力されるＬＣＤ表示フォントデータをＬＣＤ表示機に出力し、これにより液晶画面に“２０１３年”が表示される。（例えば、特許文献１）
【特許文献１】特開平８−１６３６１７号
【発明の開示】
【発明が解決しようとする課題】
【００３７】
表示可能なフォント数がＬＣＤ表示キャラクタジェネレータＲＯＭ（ＣＧＲＯＭ）の容量に依存し、多くのフォントを表示するためにはＲＯＭ容量の増加が必要であり、これによる、機械の大型化、部品コストの増大を招いた。
【００３８】
本発明は、こうした問題を解決し、機械の小型化、部品コストの低減することを目的とした。
【課題を解決するための手段】
【００３９】
本発明のＬＣＤ表示機能付きマルチファンクションペリフェラル（ＭＦＰ）装置はコンピュータから送信された表示フォントデータとそれを表す文字コードデータを受信する手段とコンピュータから受信した文字コードとそれに対応する表示フォントデータを記憶するメモリと前記表示フォントデータを記憶するメモリにコンピュータから入力した表示フォントデータを書き込む手段とコンピュータから表示フォント書き換え処理を行うコマンド手段と表示フォントメモリに格納されたのＬＣＤフォントデータに基づいて表示する手段をもつ。
【００４０】
（作用）
コンピュータから受信した表示フォント書き換えコマンドに従って、表示フォントデータを同時にコンピュータから受信した文字コードが示す表示フォントメモリアドレスに記憶させる事で、表示フォントをコンピュータから受信した複数のフォントに切り換えて表示できる。
【発明の効果】
【００４１】
以上説明したように、文字コードに対応した表示フォントデータを新しい表示フォントデータに全て書き換える事が可能となる。
【発明を実施するための最良の形態】
【００４２】
構成例を図１に示す。
【００４３】
ＣＰＵインターフェース（ＣＰＵＩＦ）、液晶表示部（ＬＣＤ）、表示データＲＡＭ  （ＤＤＲＡＭ）、インストラクションレジスタ（ＩＲ）、データレジスタ（ＤＲ）、アドレスカウンタ（ＡＣ）、タイミング発生回路（ＴＭ）、ＬＣＤ表示ドライバ（ＬＣＤ  ＤＲＶ）は従来例と同様である。
【００４４】
ＣＧＭは書き換え可能なＬＣＤ表示キャラクタージェネレータメモリで、ＷＲはＬＣＤ表示キャラクタージェネレータメモリＣＧＭのデータ書き込み信号で今回追加された物である。
【００４５】
次に図２のフローチャートを用いて古いフォント“ソウシン”をコンピュータＰＣから送られた新しいフォント“そうしん”に表示フォントを更新する動作を説明する。
【００４６】
コンピュータＰＣからの文字データ書き換えコマンドを受信すると、ＣＰＵはＬＣＤ表示部に書き換えモードに入るための表示を行う。
【００４７】
次にコンピュータＰＣから新しい表示文字コードとその表示フォントデータが入力される。
【００４８】
まず、ＣＰＵはＬＣＤユニットのＣＰＵインターフェースＩＦに表示位置００のアドレスコマンドと“ソ”の文字データ４１Ｈを書き込む。
【００４９】
インストラクションレジスタＩＲは“２”の表示位置００アドレスコマンドにより、アドレスカウンタＡＣにアドレス００を設定する。
次に“ソ”の文字データ４１Ｈがデータレジスタ  ＤＲを介して、アドレスカウンタＡＣの示す表示データＲＡＭ（ＤＤＲＡＭ）のアドレス００に“ソ”の文字コードが記憶される。
【００５０】
表示データＲＡＭ（ＤＤＲＡＭ）に書き込まれた文字データ“ソ”は、タイミング発生回路ＴＭが発生する表示タイミング信号に従い、表示データＲＡＭ（ＤＤＲＡＭ）から文字コードがＬＣＤ表示キャラクタージェネレータメモリＣＧＭに出力される。
【００５１】
そして、ＬＣＤ表示キャラクタージェネレータメモリＣＧＭは文字コードに従った従来表示フォント“ソ”をＬＣＤ表示ドライバＤＲＩＶＥＲに出力し、ＬＣＤ表示ドライバＤＲＩＶＥＲはこれをＬＣＤ表示機ＤＩＳＰに出力し、液晶表示画面上に“ソ”が表示される。
【００５２】
次にコンピュータＰＣから入力した新しい表示フォントデータ“そ”を表示フォントメモリＣＧＭに書き込み信号ＷＲを用いて書き込む。
【００５３】
この時のアドレスカウンタＡＣは文字コード“ソ”を指した状態である。
【００５４】
このため表示フォントメモリＣＧＭに書き込まれた新しい表示フォントデータ“そ”は従来フォントデータ“ソ”と同じアドレスに書き込まれるため、次の表示タイミング信号が表示タイミング信号ＴＭより出力されると前記従来フォント“ソ”に変わり新規書き込みフォント“そ”が表示される。
【００５５】
次に“ウ”の表示フォントデータの書き換えデータがコンピュータＰＣより受信するとＣＰＵは表示位置０１のアドレスコマンドと“ウ”の文字データ４２Ｈを書き込む。
【００５６】
これにより、前記説明と同様の動作で表示位置０１に“ウ”が表示され、新しいフォントデータ“う”が書き込まれると表示位置０２の“ウ”の表示は“う”に切り替わる。
【００５７】
以上の処理を表示位置０３迄繰り返すと、表示フォントメモリＣＧＭのメモリフォントデータは“ソ”、“ウ”、“シ”、“ン”から“そ”、“う”、“し”、“ん”に変わり、表示画面も同様に“ソウシン”から“そうしん”に変わって表示される。
【図面の簡単な説明】
【００５８】
【図１】本発明の構成図
【図２】マルチファンクションペリフェラル（ＭＦＰ）（Multi Function Peripheral）の従来構成
【図３】ＬＣＤ表示ユニットの構成
【図４】ＣＧＲＯＭから出力される表示フォント
【図５】表示メモリＤＤＲＡＭのアドレスと表示部分
【図１】
2006163140.tif 000003
【図２】
2006163140.tif 000004
【図３】
2006163140.tif 000005
【図４】
2006163140.tif 000006
【図５】
2006163140.tif 000007